(57)【要約】 【課題】  ダブルラッセル編物から打ち抜き屑を発生させないで、合理的に得られた円盤状の加湿エレメントを提供する。【解決手段】  表編地１、裏編地２及び表編地１と裏編地２とを繋ぐ連結糸３で構成されたダブルラッセル編物を得る。連結糸３は表編地１及び裏編地２の各編目に編み込まれて、表編地１及び裏編地２を連結している。連結糸３はダブルラッセル編物の長手方向に円弧状に湾曲して密集している。このダブルラッセル編物を１ｃｍ幅に長手方向に裁断して、ダブルラッセル編物帯を得る。ダブルラッセル編物帯を渦巻き状の巻回して円盤状として加湿エレメントとする。円盤状の加湿エレメントの表裏方向に空気が通過させる。すなわち、空気を表編地１及び裏編地２と平行に通過させて加湿エレメントとする。【選択図】  図２
2014222118.tif 000002
【特許請求の範囲】
【請求項１】
表編地、裏編地及び該表編地と該裏編地とを繋ぐ連結糸で構成され、該連結糸は該表編地及び該裏編地の各編目に編み込まれて、該表編地及び該裏編地を連結しているダブルラッセル編物帯であって、該連結糸が該ダブルラッセル編物帯の長手方向に円弧状に湾曲して密集しているダブルラッセル編物帯を巻回して円盤状となし、空気が該表編地及び裏編地と平行に通過することを特徴とする円盤状加湿エレメント。
【請求項２】
ダブルラッセル編物帯の幅が０．５〜１．５ｃｍである請求項１記載の円盤状加湿エレメント。
【請求項３】
連結糸がモノフィラメント糸とマルチフィラメント糸とで構成されている請求項１記載の円盤状加湿エレメント。
【発明の詳細な説明】
【技術分野】
【０００１】
本発明は、加湿器若しくは加湿空気清浄器等に内蔵される円盤状加湿エレメントに関するものである。
【背景技術】
【０００２】
加湿器若しくは加湿空気清浄器には、水を吸水及び保水すると共に、保水した水を蒸散させる加湿エレメントが内蔵されている。加湿エレメントは、水貯留槽から水を吸い上げると共に保水し、加湿エレメントを通過する空気中に蒸散させて加湿空気とするものである。加湿空気は室内に送られて、室内が適度な湿度に保たれるのである。
【０００３】
加湿エレメントとして、ダブルラッセル編物等の立体編物（三次元構造布帛）が用いられている（特許文献１、請求項６）。立体編物は表編地、裏編地及び両者を繋ぐ連結糸とよりなるものである。立体編物の中でも、ダブルラッセル編物は、表編地及び裏編地をウエール方向に編成すると共に、表編地及び裏編地の各編目に連結糸を絡ませて得られるものである。かかる立体編物は、表編地及び裏編地を構成する糸間に、及び連結糸間に水を保水するため、一般の平面的な布帛に比べて、保水能力が高く好ましいものである。この加湿エレメントは、ダブルラッセル編物の表裏面に対して直交する方向に空気を通過させて用いられるものである（特許文献１、請求項７）
【０００４】
特許文献２には、ダブルラッセル編物よりなる加湿エレメントが提案されている。特許文献２に記載されたダブルラッセル編物は、表編地と裏編地の透孔を一対一に対応させて、相互に連通するようにして、空気の通過性を良好にし、圧力損失の低下を防止しようというものである（特許文献２、段落００１５）。すなわち、この加湿エレメントも、ダブルラッセル編物の表裏面に対して直交する方向に空気を通過させて用いられるものである。
【０００５】
ダブルラッセル編物よりなる加湿エレメントは、種々の形状で用いられるが、たとえば、円盤状で用いられることがある。ダブルラッセル編物は、幅広の長尺物として得られるので、ここから円盤状に打ち抜いて加湿エレメントにして用いられる。しかるに、かかる打ち抜きを行うと、ダブルラッセル編物の打ち抜き屑が大量に発生し、円盤状加湿エレメントを合理的に得られないという欠点があった。
【０００６】
【特許文献１】特開２０１０−２５５８９４号公報（請求項６及び７）
【特許文献２】特許第４８５４７９２号公報（特許請求の範囲、段落００１５）
【発明の開示】
【発明が解決しようとする課題】
【０００７】
本発明の課題は、ダブルラッセル編物から打ち抜き屑を発生させずに、合理的に得られた円盤状加湿エレメントを提供することにある。
【課題を解決するための手段】
【０００８】
本発明は、特許文献１及び２記載の技術とは全く異なり、空気をダブルラッセル編物の表裏面に平行方向に空気を通過させて加湿エレメントとすることにより、上記課題を解決したものである。すなわち、本発明は、表編地、裏編地及び該表編地と該裏編地とを繋ぐ連結糸で構成され、該連結糸は該表編地及び該裏編地の各編目に編み込まれて、該表編地及び該裏編地を連結しているダブルラッセル編物帯であって、該連結糸が該ダブルラッセル編物帯の長手方向に円弧状に湾曲して密集しているダブルラッセル編物帯を巻回して円盤状となし、空気が該表編地及び裏編地と平行に通過することを特徴とする円盤状加湿エレメントに関するものである。
【０００９】
本発明に用いるダブルラッセル編物帯は、ダブルラッセル編機で編成された幅が１〜２ｍの長尺のダブルラッセル編物から裁断して得られる。ダブルラッセル編機で編成されたダブルラッセル編物は、表編地、裏編地及び該表編地と該裏編地とを繋ぐ連結糸で構成されている。連結糸は、表編地及び裏編地の編目に編み込まれて、両編地を連結している。本発明では、連結糸は、表編地及び裏編地の各編目に編み込まれている。連結糸は、ダブルラッセル編物の長手方向に円弧状に湾曲している。連結糸を湾曲させるには、表編地及び裏編地を編成しながら、表編地と裏編地の対応するコースの編目に連結糸を編み込めばよい。これを図１に基づいて説明すれば、以下のとおりである。
【００１０】
図１は、ダブルラッセル編物の編成中の状態を模式的に示した図である。表編地１及び裏編地２は編成されて、矢印方向に進行している。ここで、表編地１の編目１Ａに連結糸３を編み込む。その後、連結糸３を裏編地２の対応するコースの編目２Ａに編み込むのであるが、このとき、表編地１及び裏編地２共に矢印方向に進行している。したがって、表編地１の編目１Ａに編み込まれて、裏編地２の編目２Ａに導入されようとしている連結糸３は、相対的に進行方向とは逆方向に一旦移動し、その後、編目２Ａに導入され編み込まれる。この連結糸３の動きによって、連結糸３はダブルラッセル編物の長手方向に円弧状に湾曲することになる。連結糸３を表編地１及び裏編地２の編目１Ａ及び２Ａに編み込む際に、表編地１及び裏編地２の編成を中断し、間欠的な編成方法を採用すると、連結糸３は円弧状に湾曲しない。
【００１１】
ダブルラッセル編機で編成された長尺のダブルラッセル編物を、その長手方向に裁断してダブルラッセル編物帯を得る。ダブルラッセル編物帯の幅は０．５〜１．５ｃｍ程度である。このダブルラッセル編物帯は、図２に示す如く、表編地１と裏編地２と連結糸３とよりなり、連結糸３が帯の長手方向に円弧状に湾曲してなるものである。連結糸３の湾曲は、ダブルラッセル編物の編成時に比較的無作為に生じるため、相互に接触している箇所もある。また、連結糸３は、各編目に編み込まれているため、ダブルラッセル編物帯の幅に亙って、複数列存在している（図２）。そして、連結糸３は、表編地１及び裏編地２の各編目に編み込まれていることと、それが湾曲していることにより、空気の通過方向において密集した状態となっている。
【００１２】
このダブルラッセル編物帯は、渦巻き状に巻回され円盤状となして、加湿エレメントになる。具体的には、軸４を中心にしてダブルラッセル編物帯を渦巻き状に巻回した後、その周縁にドーナツ状の枠５を嵌め込んで、円盤状加湿エレメントになる。そして、この円盤状加湿エレメントは、空気がその表裏面を通過するようにして用いられる。すなわち、空気が表編地及び裏編地と平行に通過するようにして用いられる。
【発明の効果】
【００１３】
本発明に係る円盤状加湿エレメントは、ダブルラッセル編物を細幅に裁断したダブルラッセル編物帯を巻回して構成したものである。したがって、従来の如く、ダブルラッセル編物を打ち抜いて円盤状の加湿エレメントとなすものではないので、ダブルラッセル編物の打ち抜き屑が発生することがなく、合理的に円盤状加湿エレメントが得られるという効果を奏する。
【００１４】
さらに、本発明に係る円盤状加湿エレメントは、空気が表編地及び裏編地と平行に通過するから、連結糸に対して直交する方向に通過することになる。連結糸は円弧状に湾曲して、空気の通過方向において密集した状態で存在しているため、密集した連結糸間に水が保持される。そして、この区域を通過する空気に水がよく蒸散し、蒸散能力の高い円盤状加湿エレメントが得られるという効果も奏する。
【図面の簡単な説明】
【００１５】
【図１】連結糸がダブルラッセル編物の長手方向に湾曲する原理を示す模式図である。
【図２】本発明に用いるダブルラッセル編物帯の模式的斜視図である。
【図３】本発明の一例に係る円盤状加湿エレメントの模式的平面図である。
【発明を実施するための形態】
【００１６】
本発明に用いるダブルラッセル編物帯の表編地及び裏編地は、従来公知の編組織で編成されたもので差し支えない。一般的には、ラッセル編地やトリコット編地等の経編地を採用するのが好ましい。表編地及び裏編地を編成する糸も、従来公知のものを用いうる。一般的には、マルチフィラメント糸が用いられる。
【００１７】
表編地と裏編地とを連結する連結糸は、モノフィラメント糸であってもマルチフィラメント糸であってよい。モノフィラメント糸は高剛性であるので、表裏地及び裏編地間に一定の間隙を維持させるために有効である。また、マルチフィラメント糸は、長繊維が束ねられてなるものであるから、長繊維間に保水することができ、保水量を増加させるのに有効である。さらに、モノフィラメント糸やマルチフィラメント糸を構成する長繊維として、異形断面の糸又は繊維、さらに捲縮加工が施された繊維を用いるのが好ましい。異形断面の糸又は繊維や、捲縮加工が施された繊維間には、空隙が形成されやすく、保水量を増加させるのに有効だからである。モノフィラメント糸とマルチフィラメント糸とは、剛性及び保水量の観点から、併用するのが好ましい。たとえば、同列中にモノフィラメント糸とマルチフィラメント糸とを交互に用いて編み込んだり、モノフィラメント糸が編み込まれる列とマルチフィラメント糸が編み込まれる列とを交互に設けるのが好ましい。
【００１８】
モノフィラメント糸及び／又はマルチフィラメント糸からなる連結糸は、いずれも、ダブルラッセル編物帯の長手方向に円弧状に湾曲している。特に、マルチフィラメント糸の場合は、円弧状に湾曲する際に、各長繊維相互間に間隙が生じて、保水量の増加に寄与する。
【００１９】
ダブルラッセル編物帯は、渦巻き状に巻回して円盤状となす。そして、枠等に装着して加湿用エレメントとして用いられる。円盤状加湿エレメントは、その下部が加湿器等の貯水槽に浸るようにして内蔵する。そして、この円盤状加湿エレメントを回転させると共に、その上部で空気を通過させて、加湿空気を室内に供給することができる。
【実施例】
【００２０】
以下、実施例に基づいて本発明を説明するが、本発明は実施例に限定されるものではない。本発明は、ダブルラッセル編物帯を用いて合理的に円盤状加湿エレメントを形成した点に特徴があり、表編地及び裏編地と平行に空気を通過させ、特定の形状となって密集した連結糸に直交する方向に空気を通過させる点に特徴があると解すべきである。
【００２１】
実施例
表編地及び裏編地を編成するための糸として、３３０デシテックス／９６フィラメントのポリエステルマルチフィラメント糸を準備した。このマルチフィラメント糸は捲縮加工が施された加工糸である。
連結糸として、２００デシテックスのポリエステルモノフィラメント糸と、３３０デシテックス／１５フィラメントのポリエステルマルチフィラメント糸を準備した。
【００２２】
そして、マイヤー社製のダブルラッセル編機（型番ＨＤＲ−６ＤＰＬＭ）を用いて、各糸につき二枚筬で編成し、ダブルラッセル編物を得た。編成条件は以下のとおりである。
表編地を編成するための筬（Ｌ１）：準備した加工糸を供給し、８．１０／６．６／６．４／６．６／８．１０／６．６／６．４／２．２／２．０／２．２／４．６／２．２／２．０／２．２／４．６／６．６／／の組織で編成した。
表編地を編成するための筬（Ｌ２）：準備した加工糸を供給し、２．０／２．２／４．６／２．２／２．０／２．２／４．６／６．６／８．１０／６．６／６．４／６．６／８．１０／６．６／６．４／２．２／／の組織で編成した。
連結糸の筬（Ｌ３）：準備したポリエステルモノフィラメント糸を二本束ねて供給し、０．２／４．６／１０．８／６．４／／の組織で編成した。
連結糸の筬（Ｌ４）：準備したポリエステルマルチフィラメント糸を供給し、０．２／４．６／１０．８／６．４／／の組織で編成した。
経編地を編成するための筬（Ｌ５）：準備した加工糸を供給し、４．６／４．４／４．２／４．４／４．６／４．４／４．２／２．２／２．０／２．２／２．４／２．２／２．０／２．２／２．４／４．４／／の組織で編成した。
経編地を編成するための筬（Ｌ６）：準備した加工糸を供給し、２．０／２．２／２．４／２．２／２．０／２．２／２．４／４．４／４．６／４．４／４．２／４．４／４．６／４．４／４．２／２．２／／の組織で編成した。
【００２３】
得られたダブルラッセル編物から、幅１ｃｍのダブルラッセル編物帯を裁断した。そして、これを渦巻き状に巻回して、ダイキン社製の加湿空気清浄機（品番：ＭＣＫ５５ＭＫＳ−Ｔ）に内蔵されているドーナツ状枠５（軸４及び桟６付き）に装着して、図３に示す如き加湿エレメントを得た。
【００２４】
［蒸散性能の評価］
実施例で得られた加湿エレメントを用いて、ダイキン社製の加湿空気清浄機（品番：ＭＣＫ５５ＭＫＳ−Ｔ）を室内で運転しながら、清浄機の重量を測定し、加湿空気清浄機中の水分がどれだけ蒸散したかを測定した。この結果を表１に示した。
【００２５】
［表１］
━━━━━━━━━━━━━━━━━━━━━━━━━━━━━━━━━━
時    間      室内温度  室内湿度    清浄機の重量  水分の蒸散量
（ｈｒ）        （℃）    （％）        （ｋｇ）      （ｋｇ）
━━━━━━━━━━━━━━━━━━━━━━━━━━━━━━━━━━
０．００      １５．０    ３４        １２．４０            −
１．００      １４．７    ４８        １２．１０      ０．３０
２．００      １５．８    ５０        １１．７５      ０．６５
３．００      １６．９    ４５        １１．４０      １．００
４．００      １７．９    ５１        １１．０５      １．３５
５．００      １８．９    ５１        １０．７０      １．７０
６．００      １９．３    ５１        １０．３５      ２．０５
７．００      １９．５    ５２        １０．００      ２．４０
８．００      １９．２    ５２          ９．６５      ２．７５
━━━━━━━━━━━━━━━━━━━━━━━━━━━━━━━━━━
【００２６】
表１の結果から、従来の加湿エレメントと同等以上の水の蒸散能力を有するものであることが分かった。すなわち、従来の加湿エレメントは、同清浄機で８時間運転した場合、２．５ｋｇ程度の水の蒸散能力を有するものであり、これと対比しても、実施例に係る加湿エレメントは同等以上の水の蒸散能力を有するものであった。
【符号の説明】
【００２７】
１    表編地
１Ａ  表編地の一つの編目
２    裏編地
２Ａ  表編地の一つの編目１Ａに対応する裏編地の編目
３    連結糸
４    軸
５    ドーナツ状枠
６    桟
【図１】
2014222118.tif 000003
【図２】
2014222118.tif 000004
【図３】
2014222118.tif 000005